(57)【要約】【課題】  被空調室内の快適性を損なうことなく、消費エネルギを低減することができる空気調和装置、冷凍システム、空気調和装置の制御方法、空気調和装置の制御プログラム、この制御プログラムを記録したコンピュータ読取可能な記録媒体を提供する。【解決手段】  被空調室内２の温度が目標温度となるように運転する空気調和装置６において、主コントローラ５６の制御の下、目標温度の値を入力された温度設定値に変更し、目標温度の値が温度設定値に変更された場合、所定時間経過後に目標温度の値を所定の基準温度設定値に再設定する。【選択図】      図１
2005049062.tif 000002
【特許請求の範囲】
【請求項１】
利用側熱交換器を有する室内機と、圧縮機及び熱源側熱交換器を有する室外機とを備え、被空調室内の温度が目標温度となるように運転する空気調和装置において、
前記目標温度の値を入力された温度設定値に変更する目標温度変更部と、
前記目標温度の値が前記温度設定値に変更された場合、所定時間経過後に前記目標温度の値を所定の基準温度設定値に再設定する温度再設定部とを備えたことを特徴とする空気調和装置。
【請求項２】
請求項１に記載の空気調和装置において、
暖房運転或いは冷房運転の空調運転モードに対応付けて前記所定の基準温度設定値を記憶する記憶部を備え、
前記温度再設定部は、前記目標温度の値を、前記空調運転モードに対応した所定の基準温度設定値に再設定することを特徴とする空気調和装置。
【請求項３】
請求項２に記載の空気調和装置において、
前記温度再設定部は、前記空調運転モードが冷房運転であり、且つ、入力された前記温度設定値が前記所定の基準温度設定値よりも低い場合に、前記再設定を行うことを特徴とする空気調和装置。
【請求項４】
請求項２に記載の空気調和装置において、
前記温度再設定部は、前記空調運転モードが暖房運転であり、且つ、入力された前記温度設定値が前記所定の基準温度設定値よりも高い場合に、前記再設定を行うことを特徴とする空気調和装置。
【請求項５】
請求項１乃至請求項４のいずれか一項に記載の空気調和装置において、
前記所定時間を変更する時間変更部を備えたことを特徴とする空気調和装置。
【請求項６】
請求項１乃至請求項５のいずれか一項に記載の空気調和装置において、
前記所定の基準温度設定値を変更する温度変更部を備えたことを特徴とする空気調和装置。
【請求項７】
圧縮機、熱源側熱交換器及び利用側熱交換器を有し、この利用側熱交換器により被空調室内の空調を行う第１の冷媒回路と、
圧縮機、凝縮器及び蒸発器を有し、この蒸発器により冷却貯蔵設備の庫内の冷却を行う第２の冷媒回路と、を備え、
前記被空調室内の温度が目標温度となるように運転する冷凍システムにおいて、
前記目標温度の値を入力された温度設定値に変更する目標温度変更部と、
前記目標温度の値が前記温度設定値に変更された場合、所定時間経過後に前記目標温度の値を所定の基準温度設定値に再設定する温度再設定部とを備えたことを特徴とする冷凍システム。
【請求項８】
利用側熱交換器を有する室内機と、圧縮機及び熱源側熱交換器を有する室外機とを備え、被空調室内の温度が目標温度となるように運転する空気調和装置の制御方法において、
前記目標温度の値を入力された温度設定値に変更する目標温度変更過程と、
前記目標温度の値が前記温度設定値に変更された場合、所定時間経過後に前記目標温度の値を所定の基準温度設定値に再設定する温度再設定過程とを備えたことを特徴とする空気調和装置の制御方法。
【請求項９】
請求項８に記載の空気調和装置の制御方法において、
暖房運転或いは冷房運転の空調運転モードに対応付けて前記所定の基準温度設定値を記憶する記憶過程を備え、
前記温度再設定過程は、前記目標温度の値を、前記空調運転モードに対応した所定の基準温度設定値に再設定することを特徴とする空気調和装置の制御方法。
【請求項１０】
請求項９に記載の空気調和装置の制御方法において、
前記温度再設定過程は、前記空調運転モードが冷房運転であり、且つ、入力された前記温度設定値が前記所定の基準温度設定値よりも低い場合に、前記再設定を行うことを特徴とする空気調和装置の制御方法。
【請求項１１】
請求項９に記載の空気調和装置の制御方法において、
前記温度再設定過程は、前記空調運転モードが暖房運転であり、且つ、入力された前記温度設定値が前記所定の基準温度設定値よりも高い場合に、前記再設定を行うことを特徴とする空気調和装置の制御方法。
【請求項１２】
請求項８乃至請求項１１のいずれか一項に記載の空気調和装置の制御方法において、
前記所定時間を変更する時間変更過程を備えたことを特徴とする空気調和装置の制御方法。
【請求項１３】
請求項８乃至請求項１２のいずれか一項に記載の空気調和装置の制御方法において、
前記所定の基準温度設定値を変更する温度変更過程を備えたことを特徴とする空気調和装置の制御方法。
【請求項１４】
利用側熱交換器を有する室内機と、圧縮機及び熱源側熱交換器を有する室外機とを備え、被空調室内の温度が目標温度となるように運転する空気調和装置を、コンピュータにより制御するための制御プログラムにおいて、
前記目標温度の値を入力された温度設定値に変更させ、
前記目標温度の値が前記温度設定値に変更された場合、所定時間経過後に前記目標温度の値を所定の基準温度設定値に再設定させることを特徴とする制御プログラム。
【請求項１５】
請求項１４に記載の制御プログラムを記録したことを特徴とするコンピュータ読取可能な記録媒体。
【発明の詳細な説明】
【技術分野】
【０００１】
本発明は、空気調和装置、冷凍システム、空気調和装置の制御方法、制御プログラム及び記録媒体に関し、特に、被空調室内の温度が目標温度となるように運転する空気調和装置、冷凍システム、空気調和装置の制御方法、空気調和装置の制御プログラム及び制御プログラムを記録したコンピュータ読取可能な記録媒体に関するものである。
【背景技術】
【０００２】
従来、空気調和装置は、圧縮機、熱源側熱交換器、膨張弁及び利用側熱交換器を備え、利用側熱交換器により被空調室、例えば、コンビニエンスストア等の店舗の店内（室内）の冷暖房空調を行い、被空調室の温度がユーザにより設定された目標温度となるように、圧縮機等を制御するのが一般的である。
【０００３】
また、従来、冷却装置は、圧縮機、凝縮器、膨張弁及び蒸発器を備え、冷却貯蔵設備としての商品を陳列販売する冷蔵或いは冷凍用のオープンショーケースや扉付きのショーケース等の庫内の冷却を蒸発器により行うのが一般的である。
【０００４】
そして、圧縮機、熱源側熱交換器、膨張弁及び利用側熱交換器を有する第１の冷媒回路と、圧縮機、凝縮器、膨張弁及び蒸発器を有する第２の冷媒回路とを備え、空調と冷蔵の両方を行うように構成された冷凍システムが知られている（例えば、特許文献１参照）。
【特許文献１】特開２００２−１７４４７０号公報
【発明の開示】
【発明が解決しようとする課題】
【０００５】
ところで、上記空気調和装置或いは上記冷凍システムにおいて、例えば、被空調室が冷房される冷房運転時に、ユーザが被空調室を急速に冷やすために目標温度を低めに設定したり、被空調室が暖房される暖房運転時に、ユーザが被空調室を急速に暖めるために目標温度を高めに設定することがある。例えば、コンビニエンスストアにおいては、品物の搬入時等に店内入口を開けっ放しにすることがあり、このような品物の搬入後は、急速に店内を冷やすか、或いは暖める必要が生じる。そして、冷房運転時に目標温度を低めに設定したり、暖房運転時に目標温度を高めに設定した状態で空調運転を長時間継続した場合、被空調室が冷えすぎたり暖まりすぎたりすることがある。このような状況下で、ユーザが目標温度の再設定を忘れてしまう等、ユーザが目標温度の再設定を行わない場合、被空調室内の快適性が損なわれ、更に、消費エネルギが多いものとなってしまうという問題があった。
【０００６】
本発明は、係る従来の技術的課題を解決するためになされたものであり、被空調室内の快適性を損なうことなく、消費エネルギを低減することができる空気調和装置、冷凍システム、空気調和装置の制御方法、空気調和装置の制御プログラム、この制御プログラムを記録したコンピュータ読取可能な記録媒体を提供するものである。
【課題を解決するための手段】
【０００７】
上記課題を解決するため、本発明は、利用側熱交換器を有する室内機と、圧縮機及び熱源側熱交換器を有する室外機とを備え、被空調室内の温度が目標温度となるように運転する空気調和装置において、前記目標温度の値を入力された温度設定値に変更する目標温度変更部と、前記目標温度の値が前記温度設定値に変更された場合、所定時間経過後に前記目標温度の値を所定の基準温度設定値に再設定する温度再設定部とを備えたことを特徴とするものである。また、前記目標温度の値を予め所定の基準温度設定値に設定する基準温度設定部と、前記目標温度の値を入力された温度設定値に変更する目標温度変更部と、前記目標温度の値が前記温度設定値に変更された場合、所定時間経過後に前記目標温度の値を前記所定の基準温度設定値に再設定する温度再設定部とを備えてもよい。
【０００８】
この場合において、暖房運転或いは冷房運転の空調運転モードに対応付けて前記所定の基準温度設定値を記憶する記憶部を備え、前記温度再設定部は、前記目標温度の値を、前記空調運転モードに対応した所定の基準温度設定値に再設定するようにしてもよい。
【０００９】
また、前記温度再設定部は、前記空調運転モードが冷房運転であり、且つ、入力された前記温度設定値が前記所定の基準温度設定値よりも低い場合に、前記再設定を行うようにしてもよい。
【００１０】
更に、前記温度再設定部は、前記空調運転モードが暖房運転であり、且つ、入力された前記温度設定値が前記所定の基準温度設定値よりも高い場合に、前記再設定を行うようにしてもよい。
【００１１】
更にまた、前記所定時間を変更する時間変更部を備えてもよい。
【００１２】
また、前記所定の基準温度設定値を変更する温度変更部を備えてもよい。
【００１３】
また、本発明は、圧縮機、熱源側熱交換器及び利用側熱交換器を有し、この利用側熱交換器により被空調室内の空調を行う第１の冷媒回路と、圧縮機、凝縮器及び蒸発器を有し、この蒸発器により冷却貯蔵設備の庫内の冷却を行う第２の冷媒回路と、を備え、前記被空調室内の温度が目標温度となるように運転する冷凍システムにおいて、前記目標温度の値を入力された温度設定値に変更する目標温度変更部と、前記目標温度の値が前記温度設定値に変更された場合、所定時間経過後に前記目標温度の値を所定の基準温度設定値に再設定する温度再設定部とを備えたことを特徴とするものである。また、前記目標温度の値を予め所定の基準温度設定値に設定する基準温度設定部と、前記目標温度の値を入力された温度設定値に変更する目標温度変更部と、前記目標温度の値が前記温度設定値に変更された場合、所定時間経過後に前記目標温度の値を前記所定の基準温度設定値に再設定する温度再設定部とを備えてもよい。
【００１４】
また、本発明は、利用側熱交換器を有する室内機と、圧縮機及び熱源側熱交換器を有する室外機とを備え、被空調室内の温度が目標温度となるように運転する空気調和装置の制御方法において、前記目標温度の値を入力された温度設定値に変更する目標温度変更過程と、前記目標温度の値が前記温度設定値に変更された場合、所定時間経過後に前記目標温度の値を所定の基準温度設定値に再設定する温度再設定過程とを備えたことを特徴とするものである。また、前記目標温度の値を予め所定の基準温度設定値に設定する基準温度設定過程と、前記目標温度の値を入力された温度設定値に変更する目標温度変更過程と、前記目標温度の値が前記温度設定値に変更された場合、所定時間経過後に前記目標温度の値を前記所定の基準温度設定値に再設定する温度再設定過程とを備えてもよい。
【００１５】
この場合において、暖房運転或いは冷房運転の空調運転モードに対応付けて前記所定の基準温度設定値を記憶する記憶過程を備え、前記温度再設定過程は、前記目標温度の値を、前記空調運転モードに対応した所定の基準温度設定値に再設定するようにしてもよい。
【００１６】
また、前記温度再設定過程は、前記空調運転モードが冷房運転であり、且つ、入力された前記温度設定値が前記所定の基準温度設定値よりも低い場合に、前記再設定を行うようにしてもよい。
【００１７】
更に、前記温度再設定過程は、前記空調運転モードが暖房運転であり、且つ、入力された前記温度設定値が前記所定の基準温度設定値よりも高い場合に、前記再設定を行うようにしてもよい。
【００１８】
更にまた、前記所定時間を変更する時間変更過程を備えてもよい。
【００１９】
また、前記所定の基準温度設定値を変更する温度変更過程を備えてもよい。
【００２０】
また、本発明は、利用側熱交換器を有する室内機と、圧縮機及び熱源側熱交換器を有する室外機とを備え、被空調室内の温度が目標温度となるように運転する空気調和装置を、コンピュータにより制御するための制御プログラムにおいて、前記目標温度の値を入力された温度設定値に変更させ、前記目標温度の値が前記温度設定値に変更された場合、所定時間経過後に前記目標温度の値を所定の基準温度設定値に再設定させることを特徴とするものである。また、前記目標温度の値を予め所定の基準温度設定値に設定させ、前記目標温度の値を入力された温度設定値に変更させ、前記目標温度の値が前記温度設定値に変更された場合、所定時間経過後に前記目標温度の値を前記所定の基準温度設定値に再設定させてもよい。
【００２１】
また、本発明は、コンピュータ読取可能な記録媒体に上記制御プログラムを記録したことを特徴とするものである。
【発明の効果】
【００２２】
本発明によれば、被空調室内の快適性を損なうことなく、消費エネルギを低減することができる。
【発明を実施するための最良の形態】
【００２３】
以下、図面に基づき本発明の実施の形態を説明する。図１乃至図３は、本発明による冷凍システムの実施の形態を示す冷媒回路を含むシステム構成を示す説明図である。
【００２４】
冷凍システム１は、例えば、コンビニエンスストア等に設置される。この冷凍システム１は、店内、つまり被空調室内（以下、室内という。）２の空調を行う空気調和装置（空調系統）６と、室内２に設置される冷却貯蔵設備としての冷蔵ケース３Ａ，３Ｂや冷凍ケース４の庫内の冷却を実現する冷却装置（冷却貯蔵設備系統）８とを備えるものである。
【００２５】
なお、これら冷蔵ケース３Ａ，３Ｂ、冷凍ケース４は前面や上面が開口するオープンショーケースの他、透明ガラス扉にて開口が開閉自在に閉塞されたショーケースであり、各冷蔵ケース３Ａ，３Ｂの庫内は冷蔵温度（＋３℃〜＋１０℃）に冷却され、飲料やサンドイッチなどの冷蔵食品が陳列されると共に、冷凍ケース４の庫内は冷凍温度（−１０℃〜−３０℃）に冷却され、冷凍食品やアイスクリームなどの冷菓が陳列されるものである。
【００２６】
空気調和装置６は空調用冷媒回路（第１の冷媒回路）７を備え、冷却装置８は前記冷蔵ケース３Ａ，３Ｂや冷凍ケース４の庫内を冷却するための冷却貯蔵設備用冷媒回路（第２の冷媒回路）９を備えている。
【００２７】
空気調和装置６は、室内２の天井などに設置される室内機１１Ａ，１１Ｂと、室外（店外）に設置される室外機１２とから構成され、これらの間に渡って空調用冷媒回路７が配管構成されている。この空調用冷媒回路７は、室外機１２の外装ケース内に設置された、二台の圧縮機１３Ａ，１３Ｂ（第１の圧縮機）と、逆止弁５Ａ，５Ｂと、オイルセパレータ１０と、四方弁１４と、熱源側熱交換器１６と、膨張弁１７，１８，１９と、カスケード熱交換器２１と、逆止弁２２と、アキュムレータ２３と、各室内機１１Ａ，１１Ｂのケース内に設置された利用側熱交換器２７Ａ，２７Ｂとを備えて構成されている（空調系統）。
【００２８】
圧縮機１３Ａ及び１３Ｂは相互に並列接続されており、各圧縮機１３Ａ，１３Ｂの冷媒吐出側は逆止弁５Ａ，５Ｂをそれぞれ介して合流接続され、オイルセパレータ１０を介して四方弁１４のポート１４Ａに接続されている。
【００２９】
また、四方弁１４のポート１４Ｂは、熱源側熱交換器１６の一端に接続されている。そして、この熱源側熱交換器１６の他端は、膨張弁１７を介して膨張弁１８の一端に接続される。この膨張弁１８の他端は、各室内機１１Ａ，１１Ｂの利用側熱交換器２７Ａ，２７Ｂの一端に分流接続される。各利用側熱交換器２７Ａ，２７Ｂの他端は合流接続され、室外機１２の四方弁１４のポート１４Ｃに接続される。四方弁１４のポート１４Ｄは、逆止弁２２及びアキュムレータ２３を介して圧縮機１３Ａ，１３Ｂの吸込側に接続される。また、膨張弁１７，１８の間の配管は、膨張弁１９の一端に接続され、膨張弁１９の他端はカスケード熱交換器２１の空調側通路２１Ａの冷媒入口に接続されている。このカスケード熱交換器２１の空調側通路２１Ａの冷媒出口は、アキュムレータ２３を介して圧縮機１３Ａ，１３Ｂの冷媒吸込側に接続されている。
【００３０】
室外機１２の熱源側熱交換器１６には、当該熱源側熱交換器１６に外気を通風するための送風機２４が、隣接して配置されている。また、各室内機１１Ａ，１１Ｂの利用側熱交換器２７Ａ，２７Ｂには、当該利用側熱交換器２７Ａ，２７Ｂに室内２（店内）空気を通風するための送風機１５Ａ，１５Ｂが隣接して配置されている。
【００３１】
一方、冷却装置８は、室外機１２と室内２に設置された冷蔵ケース３Ａ，３Ｂ及び冷凍ケース４とを備えて構成され、これらの間に渡って冷却貯蔵設備用冷媒回路９が配管構成されている。この冷却貯蔵設備用冷媒回路９は、室外機１２の外装ケース内に設置された圧縮機３７（第２の圧縮機）と、凝縮器３８と、四方弁３９，４１と、逆止弁４２と、オイルセパレータ３１と、レシーバータンク３６と、冷蔵ケース３Ａに設置されて冷蔵ケース３Ａの庫内を冷却する冷蔵用蒸発器４３Ａと、膨張弁４４Ａと、電磁弁４６Ａと、冷蔵ケース３Ｂに設置されて冷蔵ケース３Ｂの庫内を冷却する冷蔵用蒸発器４３Ｂと、膨張弁４４Ｂと、電磁弁４６Ｂ，４７Ｂと、逆止弁４８Ｂと、冷凍ケース４に設置されて冷凍ケース４の庫内を冷却する冷凍用蒸発器４９と、膨張弁５１と、電磁弁５２，５３と、ブースタユニット７０とを備えて構成される。ブースタユニット７０は、圧縮機５４（第３の圧縮機）、逆止弁３０及びオイルセパレータ４５を備えて構成される。
【００３２】
圧縮機３７の冷媒吐出側は、オイルセパレータ３１を介して四方弁３９のポート３９Ａに接続され、この四方弁３９のポート３９Ｂが凝縮器３８の冷媒入口に接続される。この凝縮器３８の冷媒出口は、レシーバータンク３６を介して四方弁４１のポート４１Ａに接続される。
【００３３】
そして、四方弁４１のポート４１Ｂは、カスケード熱交換器２１のケース側通路２１Ｂの冷媒入口に接続される。ここで、カスケード熱交換器２１は、内部に構成された空調側通路２１Ａとケース側通路２１Ｂをそれぞれ通過する冷媒を相互に熱交換させるものであり、これによって空調用冷媒回路７の低圧側と冷却貯蔵設備用冷媒回路９の高圧側とは熱的に結合される。
【００３４】
カスケード熱交換器２１のケース側通路２１Ｂの冷媒出口は、四方弁３９のポート３９Ｃに接続されており、この四方弁３９のポート３９Ｄは、四方弁４１のポート４１Ｃに接続されている。そして、この四方弁４１のポート４１Ｄは、冷蔵ケース３Ａの電磁弁４６Ａを介して膨張弁４４Ａの冷媒入口に、冷蔵ケース３Ｂの電磁弁４７Ｂ，４６Ｂを介して膨張弁４４Ｂの冷媒入口に、冷凍ケース４の電磁弁５２を介して膨張弁５１の冷媒入口に、それぞれ分岐接続される。膨張弁４４Ａ，４４Ｂの冷媒出口は、冷蔵ケース３Ａ，３Ｂの冷蔵用蒸発器４３Ａ，４３Ｂの冷媒入口に接続されている。膨張弁５１の冷媒出口は、冷凍用蒸発器４９の冷媒入口に接続されている。また、電磁弁５２と膨張弁５１の直列回路に電磁弁５３が並列に接続されている。
【００３５】
冷凍用蒸発器４９の冷媒出口は、逆止弁３０を介して圧縮機５４の冷媒吸込側に接続されている。この圧縮機５４は圧縮機３７よりも出力の小さい圧縮機であり、その冷媒吐出側はオイルセパレータ４５を介して圧縮機３７の冷媒吸込側に接続されている。冷蔵用蒸発器４３Ａ、４３Ｂの冷媒出口は合流接続され、圧縮機５４の冷媒吐出側のオイルセパレータ４５の冷媒出口側に接続されている。また、逆止弁４８Ｂが、冷凍用蒸発器４９の冷媒出口側と電磁弁４６Ｂ，４７Ｂ間の冷媒配管とに接続されている。更に、逆止弁４２が、圧縮機３７の冷媒吸込側とオイルセパレータ３１の冷媒出口配管に接続されている。
【００３６】
室外機１２の凝縮器３８には、当該凝縮器３８に外気を通風するための送風機３５が隣接して配置されている。また、冷蔵ケース３Ａ，３Ｂ内の各冷蔵用蒸発器４３Ａ，４３Ｂには、各冷蔵用蒸発器４３Ａ，４３Ｂに各冷蔵ケース３Ａ，３Ｂの庫内に冷気を通風するための送風機２０Ａ，２０Ｂが隣接して配置されている。更に、冷凍ケース４内の冷凍用蒸発器４９には、当該冷凍用蒸発器４９に冷凍ケース４の庫内冷気を通風するための送風機２５が隣接して配置されている。
【００３７】
空調用冷媒回路７内には、例えば、Ｒ４１０Ａ等の冷媒が所定量封入される。冷却貯蔵設備用冷媒回路９内には、例えば、Ｒ４０４Ａ等の冷媒が所定量封入される。つまり、空調用冷媒回路７内に封入される冷媒の種類と、冷却貯蔵設備用冷媒回路９内に封入される冷媒の種類とが異なる。より具体的に説明すると、空調用冷媒回路７内には、冷却貯蔵設備用冷媒回路９内に封入される冷媒よりも沸点の低い冷媒が封入される。
【００３８】
室外機１２のケース内には、冷媒温度及び外気温度等の温度情報や冷媒圧力等の圧力情報に基づいて空気調和装置６の室外機１２側の機器を制御するための室外機コントローラ２６が設けられている。この室外機コントローラ２６は、汎用のマイクロコンピュータで構成される。また、室内機１１Ａ，１１Ｂのケース内には、冷媒温度及び室内の温度等の温度情報や冷媒圧力等の圧力情報に基づいて空気調和装置６の室内機１１Ａ，１１Ｂ側の機器を制御するための室内機コントローラ２８Ａ，２８Ｂがそれぞれ設けられている。この室内機コントローラ２８Ａ，２８Ｂは、汎用のマイクロコンピュータで構成される。
【００３９】
また、室外機１２のケース内には、冷媒温度及び外気温度等の温度情報や冷媒圧力等の圧力情報に基づいて冷却装置８の室外機１２側の機器を制御する冷凍機コントローラ３２が設けられている。この冷凍機コントローラ３２は、汎用のマイクロコンピュータで構成される。冷蔵ケース３Ａ，３Ｂ内には、冷媒温度及び庫内温度等の温度情報や冷媒圧力等の圧力情報に基づいて冷蔵ケース３Ａ，３Ｂ側の機器を制御する冷蔵ケースコントローラ５０Ａ，５０Ｂがそれぞれ設けられている。この冷蔵ケースコントローラ５０Ａ，５０Ｂは、汎用のマイクロコンピュータで構成される。更に、冷凍ケース４内には、冷媒温度及び庫内温度等の温度情報や冷媒圧力等の圧力情報に基づいて冷凍ケース４側の機器を制御する冷凍ケースコントローラ５５が設けられている。この冷凍ケースコントローラ５５は、汎用のマイクロコンピュータで構成される。
【００４０】
本実施形態では、圧縮機１３Ａ及び圧縮機３７は、インバータ装置（不図示）によりその運転周波数が制御され（容量制御）、圧縮機１３Ｂ及び圧縮機５４は定速で運転される。
【００４１】
また、本実施形態では、冷凍システム１全体の動作は、マイクロコンピュータで構成される主コントローラ５６により制御される。主コントローラ５６のマイクロコンピュータは、不図示のＣＰＵ、ＥＥＰＲＯＭ、ＲＡＭ等を備えている。ＣＰＵは、ＥＥＰＲＯＭ内の制御プログラムに従って、マイクロコンピュータ全体、ひいては冷凍システム１全体の制御を行う。ＥＥＰＲＯＭは、制御プログラムや室内２の目標温度の値として設定するための温度設定値を示すデータ、冷蔵ケース３Ａ，３Ｂ及び冷凍ケース４の庫内の目標温度の値として設定するための温度設定値を示すデータ等を含む制御用データを予め記憶している。ＲＡＭは、各種データを一時的に記憶する。
【００４２】
図４は、各コントローラの接続状態を示すブロック図である。主コントローラ５６は、図４に示すように、室外機コントローラ２６、室内機コントローラ２８Ａ，２８Ｂ、冷凍機コントローラ３２、冷蔵ケースコントローラ５０Ａ，５０Ｂ、及び、冷凍ケースコントローラ５５とデータ通信可能に接続されており、各コントローラから現在の運転状態に関するデータを受信して収集する。そして、受信データに基づき、その時点での最適な運転モードを決定し、この運転モードに関するデータ及び各機器の運転データを室外機コントローラ２６、室内機コントローラ２８Ａ，２８Ｂ、冷凍機コントローラ３２、冷蔵ケースコントローラ５０Ａ，５０Ｂ、及び、冷凍ケースコントローラ５５に送信する。室外機コントローラ２６、室内機コントローラ２８Ａ，２８Ｂ、冷凍機コントローラ３２、冷蔵ケースコントローラ５０Ａ，５０Ｂ、及び、冷凍ケースコントローラ５５は主コントローラ５６から受信した運転モードに関するデータ及び各機器の運転データに基づいて後述する制御動作を実行する。
【００４３】
また、室内機コントローラ２８Ａには、リモートコントローラ（以下、「リモコン」という。）２９が、当該室内機コントローラ２８Ａと通信可能に接続されている。リモコン２９には、室内２の目標温度の値を変更させるための操作子としての不図示の押下式ボタンスイッチが設けられており、この押下式ボタンスイッチの操作量に応じた温度設定値を示すデータを室内機コントローラ２８Ａを介して主コントローラ５６に送信する。
【００４４】
以上の構成で本発明の冷凍システム１の動作を説明する。
（１）運転モードａ：空気調和装置６の冷房運転（図１）
まず、夏場等に室内機コントローラ２８Ａ，２８Ｂが空気調和装置６の冷房運転が最適であると判断した場合、或いは、リモコン２９により冷房運転に設定された場合、運転モードａに関するデータが室内機コントローラ２８Ａ，２８Ｂから室外機コントローラ２６、並びに主コントローラ５６に送信される。また、上記データを受け取った主コントローラ５６は、これらのデータのうち、冷却装置８（冷却貯蔵設備系統）に必要なデータを冷凍機コントローラ３２、冷蔵ケースコントローラ５０Ａ，５０Ｂ、及び、冷凍ケースコントローラ５５に送信する。
【００４５】
室外機コントローラ２６は、受信データに基づき、四方弁１４におけるポート１４Ａ，１４Ｂを連通させるとともに、ポート１４Ｃ，１４Ｄを連通させるように、四方弁１４を切り換える。また、室外機コントローラ２６は、膨張弁１７を全開に制御する。そして、圧縮機１３Ａ，１３Ｂを運転する。
【００４６】
室内機コントローラ２８Ａ，２８Ｂは、利用側熱交換器２７Ａ，２７Ｂの温度や室内機１１Ａ，１１Ｂに吸い込まれる空気の温度に基づき、室内２（店内）の温度を、設定された目標温度となるように利用側熱交換器２７Ａ，２７Ｂに通風する送風機１５Ａ，１５Ｂを制御する。室内機コントローラ２８Ａ，２８Ｂからの情報は室外機コントローラ２６に送信されており、室外機コントローラ２６はこの情報に基づいて圧縮機１３Ａ，１３Ｂの運転を制御する。
【００４７】
圧縮機１３Ａ，１３Ｂが運転されると、圧縮機１３Ａ，１３Ｂの吐出側から吐出された高温高圧のガス冷媒は、四方弁１４を経て熱源側熱交換器１６に入る。この熱源側熱交換器１６には送風機２４により外気が通風されており、冷媒はここで放熱し、凝縮液化する。この液冷媒は、膨張弁１７を通過した後、分岐する。分岐した一方は膨張弁１８に至り、そこで減圧されて低圧とされた後、各利用側熱交換器２７Ａ，２７Ｂに分岐して流入し、そこで蒸発する。この冷媒の蒸発による吸熱作用で室内２の冷房が行われる。利用側熱交換器２７Ａ，２７Ｂを出た低温のガス冷媒は合流した後、四方弁１４、逆止弁２２及びアキュムレータ２３を順次経て圧縮機１３Ａ，１３Ｂの吸込側に吸い込まれる循環を繰り返す。
【００４８】
膨張弁１７を通過して分岐した冷媒の他方は膨張弁１９に至り、そこで減圧されて低圧とされた後、カスケード熱交換器２１の空調側通路２１Ａに流入し、そこで蒸発する。係る空調用冷媒回路７の冷媒の蒸発による吸熱作用でカスケード熱交換器２１は冷却され、低温となる。カスケード熱交換器２１を出た低温のガス冷媒は、アキュムレータ２３を経て圧縮機１３Ａ，１３Ｂの吸込側に吸い込まれる循環を繰り返す。
【００４９】
室外機コントローラ２６は、利用側熱交換器２７Ａ，２７Ｂの出入口の冷媒温度、或いは、利用側熱交換器２７Ａ，２７Ｂの温度と、カスケード熱交換器２１の出入口の冷媒温度、或いは、カスケード熱交換器２１の温度に基づいて適正な過熱度となるように膨張弁１８及び１９の弁開度を調整する。冷却貯蔵設備用冷媒回路９の高圧側の冷媒は、凝縮器３８を介してカスケード熱交換器２１のケース側通路２１Ｂに流すので、空調用冷媒回路７の過熱度も適正範囲に維持しやすい。
【００５０】
一方、冷凍機コントローラ３２は、冷却装置８の四方弁３９のポート３９Ａ，３９Ｂを連通させるとともに、ポート３９Ｃ，３９Ｄを連通させるように、四方弁３９を切り換える。また、四方弁４１のポート４１Ａ，４１Ｂを連通させるとともに、ポート４１Ｃ，４１Ｄを連通させるように、四方弁４１を切り換える。そして圧縮機３７，５４を運転する。
【００５１】
コントローラ５０Ａ，５０Ｂ，５５のそれぞれは、各蒸発器４３Ａ，４３Ｂ，４９の温度や各庫内の温度に基づいて、各庫内の温度を設定された各目標温度となるように、各蒸発器４３Ａ，４３Ｂ，４９に通風する各送風機２０Ａ，２０Ｂ，２５を制御する。コントローラ５０Ａ，５０Ｂ，５５からの情報は主コントローラ５６に送信されており、冷凍機コントローラ３２はこの情報に基づいて圧縮機３７の運転を制御する。
【００５２】
圧縮機３７から吐出された高温高圧のガス冷媒は、オイルセパレータ３１及び四方弁３９を経て凝縮器３８に入る。凝縮器３８に流入した冷媒はそこで放熱して凝縮液化する。凝縮器３８から出た冷媒はレシーバータンク３６及び四方弁４１を通過した後、カスケード熱交換器２１のケース側通路２１Ｂに入る。このケース側通路２１Ｂに入った冷却貯蔵設備用冷媒回路９の冷媒は、前述の如き空調用冷媒回路７の冷媒の蒸発によって低温となっているカスケード熱交換器２１によって冷却され、更に過冷却状態が増す。
【００５３】
このカスケード熱交換器２１にて過冷却された冷媒は四方弁３９、四方弁４１を順次通過した後に分岐し、一方は更に分岐して電磁弁４６Ａを通過して膨張弁４４Ａに至り、そこで絞られた後、冷蔵ケース３Ａの冷蔵用蒸発器４３Ａに流入し、そこで蒸発する。分岐した他方は電磁弁４７Ｂ，４６Ｂを順次通過して膨張弁４４Ｂに至り、そこで絞られた後、冷蔵ケース３Ｂの冷蔵用蒸発器４３Ｂに流入し、そこで蒸発する。
【００５４】
各冷蔵用蒸発器４３Ａ，４３Ｂには送風機２０Ａ，２０Ｂにより冷蔵ケース３Ａ，３Ｂの庫内空気がそれぞれ通風・循環されており、冷媒の蒸発による吸熱作用で各庫内空気は冷却される。これにより、冷蔵ケース３Ａ，３Ｂの庫内冷却が行われる。冷蔵用蒸発器４３Ａ，４３Ｂを出た低温のガス冷媒は合流した後、圧縮機５４のオイルセパレータ４５の出口側に至る。
【００５５】
カスケード熱交換器２１を出て分岐した冷媒の他方は、電磁弁５２を通過して膨張弁５１に至り、そこで絞られた後、冷凍用蒸発器４９に流入し、そこで蒸発する。この冷凍用蒸発器４９にも送風機２５により冷凍ケース４の庫内空気が通風・循環されており、冷媒の蒸発による吸熱作用で庫内空気は冷却される。これにより、冷凍ケース４の庫内冷却が行われる。
【００５６】
冷凍用蒸発器４９を出た低温のガス冷媒は逆止弁３０を経て圧縮機５４に至り、そこで、圧縮されて冷蔵用蒸発器４３Ａ，４３Ｂの出口側の圧力（冷蔵系統の低圧側圧力）まで昇圧された後、圧縮機５４から吐出され、オイルセパレータ４５でオイルを分離された後、冷蔵用蒸発器４３Ａ，４３Ｂからの冷媒と合流する。この合流した冷媒は圧縮機３７の吸込側に吸い込まれる循環を繰り返す。
（２）運転モードｂ：空気調和装置６の暖房運転（図２）
次に、空気調和装置６の暖房運転について図２を用いて説明する。
【００５７】
冬場等に室内機コントローラ２８Ａ，２８Ｂが空気調和装置６の暖房運転が最適であると判断した場合、或いは、リモコン２９により冷房運転に設定された場合、運転モードｂに関するデータが室内機コントローラ２８Ａ，２８Ｂから室外機コントローラ２６、並びに主コントローラ５６に送信される。また、上記データを受け取った主コントローラ５６は、これらのデータのうち、冷却装置８（冷却貯蔵設備系統）に必要なデータを冷凍機コントローラ３２、冷蔵ケースコントローラ５０Ａ，５０Ｂ、及び、冷凍ケースコントローラ５５に送信する。
【００５８】
室外機コントローラ２６は、受信データに基づき、四方弁１４におけるポート１４Ａ，１４Ｃを連通させるとともに、ポート１４Ｂ，１４Ｄを連通させるように、四方弁１４を切り換える。また、室外機コントローラ２６は、膨張弁１７を全閉、膨張弁１８を全開に制御する。そして、室外機コントローラ２６は、圧縮機１３Ａ，１３Ｂを運転する。
【００５９】
圧縮機１３Ａ，１３Ｂが運転されると、圧縮機１３Ａ，１３Ｂの吐出側から吐出された高温高圧のガス冷媒は、オイルセパレータ１０及び四方弁１４を経て利用側熱交換器２７Ａ，２７Ｂに入る。この利用側熱交換器２７Ａ，２７Ｂ流入した冷媒はここで放熱し、室内２の空気を加熱する一方自らは凝縮液化する。これにより、室内２（店内）の暖房が行われる。利用側熱交換器２７Ａ，２７Ｂで液化した冷媒は利用側熱交換器２７Ａ，２７Ｂから出て膨張弁１８を通り、膨張弁１９で減圧されて低圧とされた後、カスケード熱交換器２１の空調側通路２１Ａに流入し、そこで蒸発して吸熱した後、アキュムレータ２３を経て圧縮機１３Ａ，１３Ｂの吸込側に吸い込まれる循環を繰り返す。
【００６０】
室外機コントローラ２６は、カスケード熱交換器２１の出入口の冷媒温度、或いは、カスケード熱交換器２１の温度に基づいて適正な過熱度となるように膨張弁１９の弁開度を調整する。また、各室内機コントローラ２８Ａ，２８Ｂは各利用側熱交換器２７Ａ，２７Ｂの温度や各室内機１１Ａ，１１Ｂに吸い込まれる空気温度に基づき、室内２の温度を目標温度となるように利用側熱交換器２７Ａ，２７Ｂに通風する送風機１５Ａ，１５Ｂを制御する。
【００６１】
一方、冷凍機コントローラ３２は冷却装置８の冷却貯蔵設備用冷媒回路９の四方弁３９のポート３９Ａ，３９Ｄを連通させるとともに、ポート３９Ｂ，３９Ｃを連通させるように、四方弁３９を切り換える。また、四方弁４１のポート４１Ａ，４１Ｄを連通させるとともに、ポート４１Ｂ，４１Ｃを連通させるように、四方弁４１を切り換える。なお、他の電磁弁等は前述した冷房運転時と同様である。即ち、電磁弁４６Ａ，４６Ｂ，４７Ｂ，５２を開き、圧縮機３７，５４を運転する。
【００６２】
これにより、圧縮機３７から吐出された高温高圧のガス冷媒は、四方弁３９，４１を順次通過してカスケード熱交換器２１のケース側通路２１Ｂに入る。即ち、圧縮機３７から吐出された高温高圧のガス冷媒は凝縮器３８にいく前に、直接カスケード熱交換器２１のケース側通路２１Ｂに供給される。このケース側通路２１Ｂに入った冷却貯蔵設備用冷媒回路９の冷媒は、カスケード熱交換器２１において放熱するので、前述の如く空調側通路２１Ａで蒸発する空調用冷媒回路７の冷媒によって冷却され、熱量を受け渡す。これにより、空調用冷媒回路７の冷媒は冷却貯蔵設備用冷媒回路９の冷媒の廃熱を汲み上げることになる。
【００６３】
このカスケード熱交換器２１のケース側通路２１Ｂを通過した冷媒は、次に四方弁３９を経て凝縮器３８に入る。この凝縮器３８にも送風機３５により外気が通風されており、凝縮器３８に流入した冷媒はそこで放熱して凝縮液化する。
【００６４】
凝縮器３８から出た冷媒はレシーバータンク３６及び四方弁４１を通過した後に分岐し、前述同様に電磁弁４６Ａ，４６Ｂ，４７Ｂ，５２に向かうことになる。
【００６５】
このような運転により、空気調和装置６の暖房運転時には、カスケード熱交換器２１で冷却貯蔵設備用冷媒回路９の高圧側冷媒の廃熱を回収して空調用冷媒回路７の利用側熱交換器２７Ａ，２７Ｂに搬送することができるようになる。これにより、空気調和装置６の暖房能力の改善を図ることができるようになり、総じて、室内空調と冷蔵ケース３Ａ，３Ｂ、冷凍ケース４の庫内冷却を行う冷凍システム１の効率改善を図り、省エネ化を図ることが可能となる。
（３）運転モードｃ：空気調和装置６の暖房運転時の冷却装置８のカスケード熱交換器２１における放熱を殆ど必要としない時の制御（図３）
ここで、上述の如き空気調和装置６の暖房運転時に、室内２空気の負荷が一層小さくなり、暖房能力が過大となると、室外機コントローラ２６は室内温度の情報に基づいて圧縮機１３Ｂの運転周波数を低下させ、暖房能力を低下させていく。一方、このような制御を行い、且つ、上述のように凝縮器３８にて過剰な熱量が放出されたとしても、冷却装置８の冷却貯蔵設備用冷媒回路９のカスケード熱交換器２１における放熱が殆ど必要とされない状況となると、図２の回路のままでは空気調和装置６の暖房能力が過剰となる。
【００６６】
係る場合には、冷凍機コントローラ３２は図２から図３の状態に各四方弁３９，４１を切り換える。この場合、冷凍機コントローラ３２は冷却装置８の四方弁３９のポート３９Ａ，３９Ｂを連通させるとともに、ポート３９Ｃ，３９Ｄを連通させるように、四方弁３９を切り換える。また、四方弁４１のポート４１Ａ，４１Ｂを連通させるとともに、ポート４１Ｃ，４１Ｄを連通させるように、四方弁４１を切り換える。
【００６７】
これにより、圧縮機３７から吐出された高温高圧の冷媒は、図１の場合と同様に凝縮器３８を通過して放熱してからカスケード熱交換器２１に流れるようになるので、空調用冷媒回路７の冷媒がカスケード熱交換器２１にて過剰に加熱される不都合を回避することができるようになる。
【００６８】
以上、空気調和装置６が冷房運転或いは暖房運転する上記（１）〜（３）の運転モードにおいて、冷凍システム１（空気調和装置６）は、主コントローラ５６の制御の下、室内２の温度が設定された目標温度となるように運転するものである。また、冷凍システム１（冷却装置８）は、主コントローラ５６の制御の下、冷蔵ケース３Ａ，３Ｂ及び冷凍ケース４の庫内の温度が設定された目標温度となるように運転するものである。
【００６９】
本実施の形態において、室内２の目標温度の値として設定するための所定の基準温度設定値は、主コントローラ５６のＥＥＰＲＯＭに予め記憶されている。また、冷蔵ケース３Ａ，３Ｂ及び冷凍ケース４の庫内の目標温度の値として設定するためのそれぞれの所定の庫内基準温度設定値は、主コントローラ５６のＥＥＰＲＯＭに予め記憶されている。
【００７０】
以下、図５に示す空気調和装置６の冷房運転時における室内２の目標温度の値の設定動作を示すフローチャート、及び図６に示す空気調和装置６の暖房運転時における室内２の目標温度の値の設定動作を示すフローチャートを参照しながら詳細に説明する。
【００７１】
まず、空調運転モードが冷房運転の場合について説明する。
【００７２】
空気調和装置６の冷房運転が開始された場合、主コントローラ５６は、室内２の目標温度の値を、予め定めた所定の基準温度設定値に設定する（基準温度設定部）。この所定の基準温度設定値は、冷房運転或いは暖房運転の空調運転モードに対応付けられており、冷房運転時は、目標温度の値が、冷房運転に対応した所定の基準温度設定値に設定される。詳述すると、主コントローラ５６は、所定の基準温度設定値を室内機コントローラ２８Ａ，２８Ｂ及び室外機コントローラ２６に送信する。これによって、各コントローラ２８Ａ，２８Ｂ，２６は、室内２の目標温度の値を受信した所定の基準温度設定値に設定し、室内２の温度が目標温度となるように各機器を制御する。この冷房運転或いは暖房運転の空調運転モードに対応付けた所定の基準温度設定値は、主コントローラ５６のＥＥＰＲＯＭに予め記憶されている。この所定の基準温度設定値は、例えば、コンビニエンスストアの本部により定められた値である。この冷房運転に対応する所定の基準温度設定値は、快適な温度範囲（例えば、２２℃〜２５℃）の内、上限の温度（例えば、２５℃）を示す値に設定される。
【００７３】
このように、主コントローラ５６は、室内２の目標温度を示す値を、予め定めた所定の基準温度設定値に設定するので、室内２の快適性が損なわれることはない。
【００７４】
次に、リモコン２９の不図示の押下式ボタンスイッチにより室内２の目標温度の値の変更操作がなされた場合、主コントローラ５６は、室内機コントローラ２８Ａを介してリモコン２９の押下式ボタンスイッチの操作量に対応する温度設定値を入力する。
【００７５】
そして、主コントローラ５６は、図５に示すように、目標温度の値をリモコン２９より入力した温度設定値に変更する制御を行う（ステップＳ１）。具体的には、主コントローラ５６は、各コントローラ２８Ａ，２８Ｂ，２６に入力した温度設定値を送信する。これによって、各コントローラ２８Ａ，２８Ｂ，２６は、室内２の目標温度の値を受信した温度設定値に設定し、室内２の温度が目標温度となるように各機器を制御する。
【００７６】
そして、主コントローラ５６は、入力した温度設定値が、所定の基準温度設定値（例えば、２５℃）よりも低いか否かを判断する（ステップＳ２）。
【００７７】
入力した温度設定値が、所定の基準温度設定値よりも低い場合（ステップＳ２；Ｙｅｓ）、主コントローラ５６は、目標温度の値を入力した温度設定値に変更してから計時を開始する（ステップＳ３）。
【００７８】
次に、主コントローラ５６は、計時を開始してから所定時間（例えば、１時間）が経過したか否かを判断する（ステップＳ４）。つまり、目標温度の値を入力した温度設定値に変更してから所定時間が経過したか否かを判断する。所定時間が経過していない場合（ステップＳ４；Ｎｏ）は、計時を継続する。所定時間が経過した場合（ステップＳ４；Ｙｅｓ）、計時を終了し、目標温度の値を冷房運転に対応する所定の基準温度設定値（例えば、２５℃）に再設定する（ステップＳ５）。つまり、主コントローラ５６は、目標温度が変更された場合、所定時間経過後に元の目標温度に再設定することとなる。
【００７９】
従って、例えば、室内２を急速に冷やすためにユーザがリモコン２９を操作して目標温度を所定の基準温度設定値よりも低い温度（例えば、１９℃）に設定し、その後目標温度の再設定を忘れてしまう等、ユーザが目標温度の再設定を行わない場合であっても、自動的に目標温度を示す値が所定の基準温度設定値に戻されることとなるので、室内２が冷えすぎた状態が長時間に亘って継続されることは無くなる。ゆえに、室内２の快適性が損なわれることはなく、更に、冷凍システム１（空気調和装置６）による消費電力を低減することができる。
【００８０】
特に、コンビニエンスストアにおいて、品物の搬入後、外気が店内に入り、一時的に快適性が損なわれることがある。このような場合にユーザ（店員）が急速に店内を冷却するために目標温度の値を変更することができるので、店内を快適な温度に保つことができる。そして、所定時間経過後には、目標温度の値がコンビニエンスストアの本部により定められた所定の基準温度設定値に戻されるので、消費電力を低減することができる。
【００８１】
上記ステップＳ２において、入力した温度設定値が、所定の基準温度設定値以上である場合（ステップＳ２；Ｎｏ）、主コントローラ５６は、目標温度の値をリモコン２９により入力された温度設定値に保持する制御を行う（ステップＳ６）。例えば、リモコン２９により２６℃に目標温度が設定された場合、所定時間が経過しても目標温度は２６℃に継続して保持されることとなる。従って、省電力を保持することができる。
【００８２】
次に、空調運転モードが暖房運転の場合について説明する。
【００８３】
空気調和装置６の暖房運転が開始された場合、主コントローラ５６は、室内２の目標温度の値を、予め定めた所定の基準温度設定値に設定する。この所定の基準温度設定値は、暖房運転に対応付けられている。この暖房運転に対応する所定の基準温度設定値は、快適な温度範囲（例えば、２２℃〜２５℃）の内、下限の温度（例えば、２２℃）を示す値に設定される。
【００８４】
このように、主コントローラ５６は、室内２の目標温度を示す値を、予め定めた所定の基準温度設定値に設定するので、室内２の快適性が損なわれることはない。
【００８５】
次に、リモコン２９の不図示の押下式ボタンスイッチ等により室内２の目標温度の値の変更操作がなされた場合、主コントローラ５６は、室内機コントローラ２８Ａを介してリモコン２９の押下式ボタンスイッチの操作量に対応する温度設定値を入力する。
【００８６】
そして、主コントローラ５６は、図６に示すように、目標温度の値をリモコン２９より入力した温度設定値に変更する制御を行う（ステップＳ１１）。次に、主コントローラ５６は、入力した温度設定値が、所定の基準温度設定値（例えば、２２℃）よりも高いか否かを判断する（ステップＳ１２）。入力した温度設定値が、所定の基準温度設定値よりも高い場合（ステップＳ１２；Ｙｅｓ）、主コントローラ５６は、目標温度の値を入力した温度設定値に変更してから計時を開始する（ステップＳ１３）。次に、主コントローラ５６は、計時を開始してから所定時間（例えば、１時間）が経過したか否かを判断する（ステップＳ１４）。所定時間が経過していない場合（ステップＳ１４；Ｎｏ）は、計時を継続する。所定時間が経過した場合（ステップＳ１４；Ｙｅｓ）、計時を終了し、目標温度の値を暖房運転に対応する所定の基準温度設定値（例えば、２２℃）に再設定する（ステップＳ１５）。つまり、主コントローラ５６は、目標温度が変更された場合、所定時間経過後に元の目標温度に再設定することとなる。
【００８７】
従って、例えば、室内２を急速に暖めるためにユーザがリモコン２９を操作して目標温度を所定の基準温度設定値よりも高い温度（例えば、２９℃）に設定し、その後目標温度の再設定を忘れてしまう等、ユーザが目標温度の再設定を行わない場合であっても、自動的に目標温度を示す値が所定の基準温度設定値に戻されることとなるので、室内２が暖まりすぎた状態が長時間に亘って継続されることは無くなる。ゆえに、室内２の快適性が損なわれることはなく、更に、冷凍システム１（空気調和装置６）による消費電力を低減することができる。
【００８８】
上記ステップＳ１２において、入力した温度設定値が、所定の基準温度設定値以下である場合（ステップＳ１２；Ｎｏ）、主コントローラ５６は、目標温度の値をリモコン２９により入力された温度設定値に保持する制御を行う（ステップＳ１６）。例えば、リモコン２９により２１℃に目標温度が設定された場合、所定時間が経過しても目標温度は２１℃に継続して保持されることとなる。従って、省電力を保持することができる。
【００８９】
上記ステップＳ３或いはステップＳ１３による計時開始後の計時中に、リモコン２９の不図示の押下式ボタンスイッチ等により室内２の目標温度の値の変更操作がなされた場合、計時を終了し、ステップＳ１或いはステップＳ１１の処理に戻ることとなる。
【００９０】
ところで、リモコン２９には、計時時間（所定時間）を変更するための不図示の押下式ボタンスイッチと、所定の基準温度設定値を変更するための不図示の押下式ボタンスイッチとが設けられている。リモコン２９の計時時間を変更するための押下式ボタンスイッチが操作された場合、主コントローラ５６は、室内機コントローラ２８Ａを介して計時時間の変更を示すデータを受信し、主コントローラ５６のＥＥＰＲＯＭに記憶されている計時時間（所定時間）を書き換える（変更する）処理を行う。また、リモコン２９の所定の基準温度設定値を変更するための押下式ボタンスイッチが操作された場合、主コントローラ５６は、室内機コントローラ２８Ａを介して所定の基準温度設定値の変更を示すデータを受信し、主コントローラ５６のＥＥＰＲＯＭに記憶されている所定の基準温度設定値を書き換える（変更する）処理を行う。これによって、室内２の快適性を向上させることができる。
【００９１】
以上、上記実施形態では、コンビニエンスストアにおいて室内の空調と冷却貯蔵設備の冷却を行う冷凍システムの場合について説明したが、空調のみを行う空気調和装置でも本発明は有効である。
【００９２】
また、上記実施形態では、主コントローラが冷凍システムを制御するための制御プログラムをコンピュータ読取可能な記録媒体としてのＥＥＰＲＯＭ等に予め格納しておく場合について説明したが、これらの制御プログラムをハードディスク等の外部記録装置に記録して起動したり、これらの制御プログラムを光ディスク等のリムーバブル記録媒体に記録して、インストールするようにしたり、無線又は有線のネットワークを介してダウンロードし、インストールするように構成することも可能である。また、ＲＯＭ等のコンピュータ読取可能な記録媒体に交換可能に構成しておくことも可能である。
【００９３】
また、上記実施形態では、室内の温度を設定する場合について説明したが、庫内の温度が目標温度となるように運転する冷凍システムにおいて、冷蔵ケース及び冷凍ケースの庫内の温度を設定する場合についても同様に行うことができる。具体的に説明すると、各庫内の目標温度の値を、それぞれの所定の庫内基準温度設定値に設定する庫内温度設定部と、各庫内の目標温度の値の内、対応する庫内の目標温度の値を入力された庫内温度設定値に変更する庫内温度変更部と、目標温度の値が庫内温度設定値に変更された場合、所定時間経過後に目標温度の値を所定の庫内基準温度設定値に再設定する庫内温度再設定部とを備えてもよい。この場合、不図示のリモコンが庫内温度設定値を入力するようにしてもよい。これによって、例えば、コンビニエンスストアにおいて、品物を急速に冷却するために庫内の目標温度の設定値をユーザが変更したとしても、所定時間経過後には元の所定の庫内温度設定値に戻されるので、消費エネルギを低減することが可能である。
【産業上の利用可能性】
【００９４】
被空調室内の温度が目標温度となるように運転する空気調和装置、冷凍システム、空気調和装置の制御方法、空気調和装置の制御プログラム及び制御プログラムを記録したコンピュータ読取可能な記録媒体に適用できる。
【図面の簡単な説明】
【００９５】
【図１】本発明による冷凍システムの実施の形態を示す冷媒回路を含むシステム構成を示し、空気調和装置の冷房運転時の冷媒の流れを示す説明図である。
【図２】本発明による冷凍システムの実施の形態を示す冷媒回路を含み、空気調和装置の暖房運転時の冷媒の流れを示す説明図である。
【図３】本発明による冷凍システムの実施の形態を示す冷媒回路を含み、空気調和装置の暖房運転時の冷媒の流れを示す説明図である。
【図４】各コントローラの接続状態を示すブロック図である。
【図５】空気調和装置の冷房運転時における被空調室内の目標温度の値の設定動作を示すフローチャートである。
【図６】空気調和装置の暖房運転時における被空調室内の目標温度の値の設定動作を示すフローチャートである。
【符号の説明】
【００９６】
１  冷凍システム
６  空気調和装置
７  空調用冷媒回路（第１の冷媒回路）
８  冷却装置
９  冷却貯蔵設備用冷媒回路（第２の冷媒回路）
１３Ａ，１３Ｂ，３７，５４  圧縮機
１６  熱源側熱交換器
２１  カスケード熱交換器
２７  利用側熱交換器
２９  リモートコントローラ
３８  凝縮器
４３Ａ，４３Ｂ…冷蔵用蒸発器（蒸発器）
４９  冷凍用蒸発器（蒸発器）
５６  主コントローラ（目標温度変更部、温度再設定部、記憶部、時間変更部、温度変更部）
【図１】
2005049062.tif 000003
【図２】
2005049062.tif 000004
【図３】
2005049062.tif 000005
【図４】
2005049062.tif 000006
【図５】
2005049062.tif 000007
【図６】
2005049062.tif 000008